(57)【要約】【課題】扉体が全閉状態にある時にロック手段を自動的に解除状態として開き扉の開放を可能とする。【解決手段】扉体１に設けられ、開き扉８に係脱可能であり、通常時には付勢手段により係止状態が保持されているロック手段と、扉体１の戸先側に位置して設けられ、第１の位置と第２の位置の間で移動可能であり、通常時の第１の位置において扉体１から突出する突出部位を備えている作動手段と、扉体１に設けられ、作動手段が第１の位置から第２の位置に移動することでロック手段が解除状態となるように、前記作動手段の作動を前記ロック手段に伝動する伝動手段と、枠体の戸先側に位置して設けられ、閉鎖移動中の扉体が全閉状態に接近した時あるいは全閉状態において第１の位置にある作動手段の前記突出部位を押し込むことで作動手段を第２の位置へと移動させる押圧手段と、を有する。【選択図】図２
2010216204.tif 000002
【特許請求の範囲】
【請求項１】
避難用開口を備え、建物開口部の幅方向に移動して当該建物開口部を開閉する扉体と、前記避難用開口を開閉するように前記扉体に設けられた開き扉と、を備えた引戸装置において、
前記扉体に設けられ、前記開き扉に係脱可能であり、通常時には付勢手段により係止状態が保持されているロック手段と、
前記扉体の戸先側に位置して設けられ、第１の位置と第２の位置の間で移動可能であり、通常時の第１の位置において前記扉体から突出する突出部位を備えている作動手段と、
前記扉体に設けられ、作動手段が第１の位置から第２の位置に移動することでロック手段が解除状態となるように、前記作動手段の作動を前記ロック手段に伝動する伝動手段と、
建物開口部の枠体の戸先側に位置して設けられ、閉鎖移動中の扉体が全閉状態に接近した時あるいは全閉状態において第１の位置にある作動手段の前記突出部位を押し込むことで作動手段を第２の位置へと移動させる押圧手段と、
を有する開き扉を備えた引戸装置。
【請求項２】
前記突出部位は、前記扉体の戸先側において扉体の上端面から上方に突出しており、
前記押圧手段は、火災時に生成される作動信号に基づいて下方に突出して前記突出部位を下方に押し込むものである、
請求項１に記載の開き扉を備えた引戸装置。
【請求項３】
前記突出部位と前記押圧手段の互いに当接する部位の形状の組み合わせは、前記扉体の閉鎖移動時に、下方に突出した押圧手段に前記突出部位が当接した時に、前記押圧手段と前記突出部位とが当接しながら、前記扉体の閉鎖移動に伴って前記作動手段が下方に移動するような形状となっている、請求項２に記載の開き扉を備えた引戸装置。
【請求項４】
前記突出部位は、前記扉体の戸先側端面から側方に突出しており、前記押圧手段は、前記枠体の戸先側縦枠である、
請求項１に記載の扉装置。
【発明の詳細な説明】
【技術分野】
【０００１】
本発明は、開き扉を備えた引戸装置に係り、典型的な態様では、開き扉を備えた防火自動引戸装置に関するものである。
【背景技術】
【０００２】
防火自動引戸装置は、通常時には、建物開口部を開閉する自動引戸として機能し、火災時には、自動引戸の機能を停止し、自動閉鎖装置によって強制的に自閉する防火戸として機能する。また、扉体に開き扉を設けることで、火災時に全閉状態となった扉体に避難口を形成して避難できるようにした避難用開き扉付き引戸装置も提案されている。
【０００３】
従来、防火自動引き戸に避難用開き扉が付いたものでは、開き扉の閉鎖状態は、開き扉に設けたラッチ付きの錠前によって保持されており、自動引き戸として機能している時でも、錠前を操作するという１つのアクションで開き扉の開放が可能な機構であることが多い。
【０００４】
特許文献１には、スライド式の自動扉に設けた避難口を開閉する非常扉が開示されており、非常扉には、平常時には避難口を閉じた位置で固定する錠が設けてある。錠の具体的な構成は特許文献１には開示されていないが、錠は非常扉に設けてあることから、上記ラッチ付きの錠前と同様の錠であると考えられる。
【０００５】
このようなラッチ付きの錠前を用いたものでは、万が一自動引き戸として機能中に開き戸を誤って開けた場合、戸袋部（方立）に開き扉が当り、開き扉や戸袋部が傷んでしまい、また、不意に開き扉が開くことは危険でもある。したがって、火災等非常時で、引き戸が強制自閉した時にのみ、開き戸の保持（固定）が開錠されることが望ましい。
【０００６】
ここで、開き扉に設けた錠装置を、防災盤からの作動信号により解錠される電気錠とすることが考えられるが、防災盤からの作動信号を、引戸装置の扉体及び開き扉に引き込んで電気錠を作動させるために通線するには、扉体の移動距離が大きいため、容易ではない。
【先行技術文献】
【特許文献】
【０００７】
【特許文献１】実開昭５９−１４７８９２
【発明の開示】
【発明が解決しようとする課題】
【０００８】
本発明の目的は、扉体が全閉状態にある時にロック手段を自動的に解除状態として開き扉の開放を可能とする開き扉を備えた引戸装置を提供することにある。
本発明のより具体的な目的の１つは、扉体側に通線を行なうことなく、開口部閉鎖時かつ火災時等の非常時にロック手段を自動的に解除して開き扉の開放を可能とすることにある。
【課題を解決するための手段】
【０００９】
本発明が採用した技術手段は、
避難用開口を備え、建物開口部の幅方向に移動して当該建物開口部を開閉する扉体と、前記避難用開口を開閉するように前記扉体に設けられた開き扉と、を備えた引戸装置において、
前記扉体に設けられ、前記開き扉に係脱可能であり、通常時には付勢手段により係止状態が保持されているロック手段と、
前記扉体の戸先側に位置して設けられ、第１の位置と第２の位置の間で移動可能であり、通常時の第１の位置において前記扉体から突出する突出部位を備えている作動手段と、
前記扉体に設けられ、作動手段が第１の位置から第２の位置に移動することでロック手段が解除状態となるように、前記作動手段の作動を前記ロック手段に伝動する伝動手段と、
建物開口部の枠体の戸先側に位置して設けられ、閉鎖移動中の扉体が全閉状態に接近した時あるいは全閉状態において第１の位置にある作動手段の前記突出部位を押し込むことで作動手段を第２の位置へと移動させる押圧手段と、を有する開き扉を備えた引戸装置、である。
【００１０】
１つの典型的な態様では、前記引戸装置は、防火自動引戸装置であり、引戸の扉体は上吊り式であり、モータにより電動駆動されて左右方向に移動して建物開口部を開閉する。
１つの態様では、前記防火自動引戸装置は、自動閉鎖装置を備えており、火災時に防災盤からの作動信号に基づいて、自動閉鎖装置が作動して（主電源が切られた後に）扉体が自動閉鎖して全閉状態となる。
【００１１】
１つの態様では、前記突出部位は、前記扉体の戸先側において扉体の上端面から上方に突出しており、
前記押圧手段は、火災時に生成される作動信号に基づいて下方に突出して前記突出部位を下方に押し込むものである。
１つの態様では、押圧手段は、火災時に防災盤からの作動信号に基づいて作動する電磁レリーズによって下方に突出するように構成される。
【００１２】
１つの態様では、前記突出部位と前記押圧手段の互いに当接する部位の形状の組み合わせは、前記扉体の閉鎖移動時に、下方に突出した押圧手段に前記突出部位が当接した時に、前記押圧手段と前記突出部位とが当接しながら前記扉体の閉鎖移動に伴って前記作動手段が下方に移動するような形状となっている。
横方向に移動する第１部材が第２部材に当接した時に、横方向の力を縦方向に変換しながら第１部材の横方向の移動を許容しつつ第１部材を縦方向に移動させるような、第１部材と第２部材の当接部の具体的な形状は当業者に適宜設計し得る。
１つの態様では、当接部の一方に傾斜面を形成することで、扉体（突出部位）の戸先側への移動を許容しつつ、作動手段（突出部位）を下動させる。より具体的な態様では、前記突出部位あるいは前記押圧手段のいずれかの当接部は、戸先側に向かって上側から下側に傾斜状に延出するガイド部である。
【００１３】
１つの態様では、前記突出部位は、前記扉体の戸先側端面から側方（１つの態様では水平状）に突出しており、前記押圧手段は、前記枠体の戸先側縦枠である。１つの態様では、前記突出部位は、前記扉体の戸先側端面の上側部位（意識して手を伸ばさないと届かない）から突出させることで、扉体の通常の開閉時に、誤って突出部位を押し込むようなことがないようにする。
【発明の効果】
【００１４】
本発明では、閉鎖移動中の扉体が全閉状態に接近した時あるいは全閉状態において第１の位置にある作動手段の前記突出部位を押し込むことで作動手段を第２の位置へと移動させてロック手段を解除するものであり、前記扉体が全閉状態にある時にロック手段は自動的に解除状態となるものであり、扉体の通常時の開閉時に誤って開き扉が開いてしまうことを可及的に防止できる。
【００１５】
請求項２に記載したものでは、開口部幅方向に移動する扉体に通線することなく、防災信号と連動して、火災時等の非常時にのみ、扉体内の開き扉を開放させることが可能となる。
請求項３に記載したものでは、自動閉鎖装置を作動させるための作動信号、押圧手段を作動させるための作動信号のタイミングの制御を厳格に行なうことなく、防災信号と連動して、火災時等の非常時にのみ、扉体内の開き扉を開放させることが可能となる。
【００１６】
請求項４に記載したものでは、押圧手段として既存の戸先側縦枠を利用することができ、押圧手段の構成をシンプルとすることができ、装置全体の部品点数を少なくすることができる。
【図面の簡単な説明】
【００１７】
【図１】扉閉鎖時における引戸装置の姿図である。
【図２】本発明の第１実施形態を示す図であり、図１における扉体の戸先側角部（点線の丸で囲んだ部分）に対応する図および側面図を示す。ラッチ及び作動部については、第１の位置、第２の位置の両方を示している。
【図３】本発明の第２実施形態を示す図であり、図１における扉体の戸先側角部（点線の丸で囲んだ部分）に対応する図及び平面図を示す。ラッチ及び作動部については、第１の位置（第１の姿勢）、第２の位置（第２の姿勢）の両方を示している。
【図４】本発明の第３実施形態を示す図であり、図１における扉体の戸先側角部（点線の丸で囲んだ部分）に対応している。ロック手段及び作動手段については、第１の位置、第２の位置の両方を示している。説明の都合上、作動手段の第１の位置を点線で示すが、実際には、戸先側縦枠内に延出するものではない。
【図５】本発明の第４実施形態を示す図であり、図１における扉体の戸先側角部（点線の丸で囲んだ部分）に対応している。作動手段については、第１の位置、第２の位置の両方を示している。説明の都合上、作動手段の第１の位置を点線で示すが、実際には、戸先側縦枠内に延出するものではない。
【図６】防火自動引戸装置の扉体の移動機構を示す図である。
【発明を実施するための形態】
【００１８】
本発明の実施形態を図面に基づいて詳細に説明する。図１は扉体全閉時における引戸装置の姿図であり、引戸装置は上吊り式の扉体１を備え、扉体１は一方の縦枠２を戸先側、他方の縦枠３を戸尻側として、縦枠２、３間で左右方向に移動可能となっている。左右の縦枠２、３の上端間には上枠４が延設されている。縦枠２、３間の幅方向の縦枠３側の半部は袖壁ないし戸袋部となっており、扉体１は、縦枠２、３間の幅方向の縦枠２側の半部の空間（上端は上枠４、下端は床面５）を開閉する。
【００１９】
上枠４の内部空間には、扉体１の移動方向に延出するレール６が設けてあり、扉体１は上端に設けたハンガーローラユニット７を介してレール６から吊持されており、ハンガーローラユニット７がレール６上を転動することで、扉体１は左右方向に移動可能となっている。扉体１は通常時には電動で開閉駆動される自動引戸であり、火災時には、防災信号に基づいて、主電源を切った後に作動される自動閉鎖装置によって自動的に閉鎖して開口部を閉鎖するように構成されている。これらの具体的な構成については、図６に基づいて後述する。
【００２０】
扉体１には、避難用の開口、及び、当該避難用開口を開閉する開き扉８が設けてある。図示の態様では、正面視長方形状の扉体１は、戸先側縦框１０、戸尻側縦框１１、上框１２、下框１３を備え、扉体１のこれらの框１０、１１、１２、１３に囲まれた部位に避難用開口が形成されていると共に、避難用開口の周縁には開き扉８の閉鎖時に、開き扉８が当接する戸当り片１４（図２乃至図５参照）が形成されている。
【００２１】
扉体１の戸先側、戸尻側と、開き扉８の戸先側、戸尻側は対応している。具体的には、開き扉８の戸先側縦框８０、戸尻側縦框８１、上框８２、下框８３は、それぞれ、扉体１の戸先側縦框１０、戸尻側縦框１１、上框１２、下框１３に対応しており、開き扉８の戸尻側縦框８１は、図示しないヒンジ（例えば、開き扉８を閉鎖方向に付勢するオートヒンジ）を介して扉体１の戸尻側縦框１１に連結されている。開き扉８の面部の戸先側の高さ方向中間部位には、図示しない取手が設けてある。
【００２２】
本発明の実施形態に係る引戸装置は、さらに、ロック手段、作動手段、伝動手段、押圧手段と、を備えている。
【００２３】
ロック手段は、扉体１の戸先側に位置して設けられ、開き扉８に係脱可能である。より具体的には、扉体１の戸先側（上框１２の戸先側部位あるいは戸先側縦框１０）に形成されたロック手段の係止部が、開き扉８の戸先側（上框８２の戸先側部位あるいは戸先側縦框８０）に形成された受け部に対して係脱可能となっている。通常時には付勢手段により、受け部に対する係止部の係止状態が保持されている。
【００２４】
作動手段は、扉体１の戸先側に位置して、第１の位置と第２の位置の間で移動可能なように扉体１（上框１２の戸先側部位あるいは戸先側縦框１０）に設けられる。通常時には、作動手段が第１の位置にあって、ロック手段は係止状態にある。作動手段が第１の位置から第２の位置に移動することで、ロック手段は係止状態から解除状態になる。作動手段は、第１の位置において扉体１の端面（上端面の戸先側部位あるいは戸先側端面）から突出する突出部位を備えている。作動手段が第１の位置から第２の位置へ移動することで、前記突出部位の突出寸法は小さくなって行くが、１つの態様では、第２の位置においても、前記突出部位は扉体１の端面から突出している。
【００２５】
伝動手段は、扉体１の戸先側（上框１２の戸先側部位あるいは戸先側縦框１０）に設けられ、作動手段が第１の位置から第２の位置に移動することでロック手段が解除状態となるように、前記作動手段の作動を前記ロック手段に伝動する。伝動手段としては、後述する実施形態では、ラックとピニオン、プッシュプル錠の機構、を示すが、ある部材の動きに連動してもう１つの部材に所望の動作を行なわせるための伝動手段としては様々な機構が採用され得ることが当業者に理解され、作動手段とロック手段を連動させる伝動手段についても、ラックとピニオン、プッシュプル錠の機構に限定されるものではなく、様々な機構が採用され得る。
【００２６】
押圧手段は、建物開口部の枠体の戸先側（上枠４の戸先側部位あるいは戸先側縦枠２）に位置して設けられ、自閉移動中の扉体１が全閉状態に接近した時あるいは全閉状態において第１の位置にある作動部の前記突出部位を押し込むことで作動部を第２の位置へと移動させる。１つの典型的な態様では、押圧手段は、火災検知に基づく作動信号によってのみ作動するように構成され、火災時等の非常時にのみ開き扉８のロック手段が解除される。
【００２７】
［第１実施形態］
第１実施形態について図２に基づいて説明する。扉体１の上框１２の戸先側部位には、ロック手段としてのラッチ１５が下側に位置する第１の位置と上側に位置する第２の位置との間で上下方向に移動可能に設けてある。ラッチ１５の下端部が係止部１５Ａとなっており、ラッチ１５が第１の位置にある時に、開き扉８の上框８２の戸先側部位に形成した凹状のラッチ受け１６にラッチ１５の下端の係止部１５Ａが係止するようになっている。ラッチ１５の上端と扉体１の上端面１２０との間に位置して付勢手段としてのコイルスプリング１７が設けてあり、コイルスプリング１７がラッチ１５を下向きに押圧することで、通常時には、ラッチ１５は第１の位置を維持しており、ロック手段は係止状態にある。
【００２８】
扉体１の上框１２の戸先側部位には、作動部１８が、ラッチ１５と離間対向して上側に位置する第１の位置と下側に位置する第２の位置との間で上下方向に移動可能に設けてある。ラッチ１５及び作動部１８のそれぞれの対向する面には、それぞれラック１５０、１８０が上下方向（ラッチ１５及び作動部１８の移動方向）に亘って形成されており、ラッチ１５と作動部１８との間にはそれぞれのラック１５０、１８０に噛合するピニオン１９が設けてある。
【００２９】
作動部１８の第１の位置、第２の位置は、それぞれ、ラッチ１５の第１の位置、第２の位置に対応しており、したがって、第１の位置ではロック手段は係止状態にあり、第２の位置でロック手段は解除状態となる。第１の位置にある作動部１８が下動すると、作動部１８のラック１８０に噛合したピニオン１９が反時計回り方向に回転し、ピニオン１９の回転に連動して、ピニオン１９に噛合したラック１５０を介してラッチ１５が第１の位置から上動して、ラッチ１５の下端の係止部１５Ａがラッチ受け１６から抜け出てロック手段は解除状態となる。このように、第１実施形態では、ラック１５０、１８０とピニオン１９から伝動手段が構成されている。ラッチ１５、コイルスプリング１７、作動部１８、ピニオン１９は、扉体１の上框１２の戸先側部位内に設けたケース体Ｃに内装されている。ラッチ１５、コイルスプリング１７、作動部１８は、図示しないガイド（ケース体Ｃの内壁でもよい）に沿って上下動させることが望ましく、このようなガイドは当業者にとって適宜設計することができる。
【００３０】
第１の位置において、作動部１８の上端側は、扉体１の上端面１２０から上方に突出する突出部位２０となっている。上枠４内には、戸先側に位置して、押圧手段としての押圧ブロック２１が設けてある。押圧ブロック２１は直方体状の形状を有しており、下端の水平面と、垂直状の複数の側面を備えている。押圧ブロック２１は、防災盤からの作動信号に基づくソレノイド式電磁レリーズ２２の作動によって、下方に突出して、作動部１８の上端側の突出部位２０を下方に押し込んで作動部１８を第１の位置から第２の位置へと作動させるように構成されている。
【００３１】
１つの態様では、防災盤からの作動信号に基づく自動閉鎖装置による扉体１の自動閉鎖、ソレノイド式電磁レリーズ２２による押圧ブロック２１の作動のタイミングを、扉体１が全閉状態となった後に、押圧ブロック２１を押圧作動させるように設定することで、全閉状態の扉体１の上端に突出する作動部１８の突出部位２０を押圧ブロック２１が下方に押し込んで作動部１８を下動させて、ラック１５０、１８０とピニオン１９からなる伝動手段によってコイルスプリング１７を圧縮しながらラッチ１５が第１の位置から第２の位置へと上動して、ロック手段が解除状態となる。
【００３２】
扉体１が全閉状態となる前に押圧ブロック２１を作動させてもよい。突出部位２０には、戸先側に向かって上側から下側に傾斜状に延出するガイド部２００が形成されており、扉体１の閉鎖移動時に、下方に突出した押圧ブロック２１（戸尻側の垂直面と下端の水平面との角部）にガイド部２００が当接した時には、ガイド部２００が押圧ブロック２１に当接しながら扉体１の移動に伴って作動部１８が下動して行き、ラック１５０、１８０とピニオン１９からなる伝動手段によってコイルスプリング１７を圧縮しながらラッチ１５が第１の位置から第２の位置へと上動して、ロック手段が解除状態となる。図示の態様では、突出部位２０に傾斜状のガイド部２００を形成し、直方体状の押圧ブロック２１の角部がガイド部２００に当接して案内されるものを示したが、突出部位２０と押圧ブロック２１の形状の組み合わせは逆でもよく、押圧ブロック２１に傾斜状のガイド部を形成し、突出部位２０を案内するようにしてもよい。
【００３３】
本実施形態において、押圧ブロック２１、電磁レリーズ２２は上枠４内の戸先側に近接した位置に設けてあり、全閉状態にある扉体１の上端の戸先側のハンガーローラユニット７よりも戸先側に位置している。したがって、押圧ブロック２１、電磁レリーズ２２が扉体１の上端に設けたハンガーローラユニット７と干渉することがなく、扉体１の通常の開閉移動に支障を来たすことがない。
【００３４】
［第２実施形態］
第２実施形態について図３に基づいて説明する。同一の構成要素については、図２と図３との間で共通の参照番号を付与してある。扉体１の戸先側縦框１０の上側部位には、ロック手段としてのラッチ１５´が設けてあり、ラッチ１５´は、開き扉８の戸先側縦框８０の上側部位に形成した凹状のラッチ受け１６´に対して係脱可能となっている。ラッチ１５´は、第１の姿勢と第２の姿勢の間で回転可能となっており、ロック手段は、ラッチ１５´が第１の姿勢にある時に係止状態にあり、ラッチ１５´が第２の姿勢にある時に解除状態にある。通常時には、図示しない付勢手段（スプリング）によって、ラッチ１５´の第１の姿勢が保持されている。
【００３５】
扉体１の上框１２の戸先側部位には、作動部１８´が、上側の第１の位置と下側の第２の位置との間で上下方向に移動可能に設けてある。作動部１８´の第１の位置、第２の位置は、それぞれ、ラッチ１５´の第１の姿勢、第２の姿勢に対応しており、したがって、第１の位置ではロック手段は係止状態にあり、第２の位置でロック手段は解除状態となる。
【００３６】
第１の位置において、作動部１８´の上端側は、扉体１の上端面１２０から上方に突出する突出部位２０となっている。上枠４内には、戸先側に位置して、押圧手段としての押圧ブロック２１が設けてある。押圧ブロック２１は直方体状の形状を有しており、下端の水平面と、垂直状の複数の側面を備えている。押圧ブロック２１は、防災盤からの作動信号に基づくソレノイド式電磁レリーズ２２の作動によって、下方に突出して、作動部１８´の上端側の突出部位２０を下方に押し込んで作動部１８´を第１の位置から第２の位置へと作動させるように構成されている。
【００３７】
作動部１８´とラッチ１５´は、伝動手段１９´を介して伝動連結されている。作動部１８´は、上下方向に延出するロッドであり、作動部１８´の下端側は、伝動手段１９´に連結されている。伝動手段１９´は、作動部１８´の下動を、ラッチ１５´の回動に変換する機構であり、玄関扉等に一般に用いられているプッシュプル錠の機構を用いることができる。
【００３８】
第２の実施形態は、第１の実施形態に対して、ロック手段（ラッチ１５´、ラッチ受け１６´）、作動手段（作動部１８´）、伝動手段１９´の構成が異なるものであり、その他の要素の構成や動きについては、適宜第１実施形態の記載を援用することができる。また、第１実施形態、第２実施形態において、自閉移動した扉体１によってロック手段が解除された後の復帰動作について説明する。先ず、全閉状態の扉体１を開放方向に移動し、次いで、下方に突出した押圧ブロック２１を押し上げて待避姿勢とし、そして、電源を投入することで電磁レリーズ２２によって押圧ブロック２１の待避姿勢が維持され、自動引戸装置としての使用が可能となる。
【００３９】
［第３実施形態］
第３実施形態について図４に基づいて説明する。同一の構成要素については、図２及び図３と図４との間で共通の参照番号を付与する。第３実施形態は、第１実施形態に対して、ロック手段、作動手段、伝動手段が設けられる部位が、上框１２の戸先側部位から戸先側縦框１０の上側部位に変わった態様であり、ロック手段、作動手段、伝動手段の構成要素は基本的に同じである。
【００４０】
扉体１の戸先側縦框１０の上側部位には、ロック手段としてのラッチ１５が戸尻側に位置する第１の位置と戸先側に位置する第２の位置との間で水平方向に移動可能に設けてある。ラッチ１５の戸尻側端部が係止部１５Ａとなっており、ラッチ１５が第１の位置にある時に、開き扉８の戸先側縦框８０の上側部位に形成した凹状のラッチ受け１６´にラッチ１５の係止部１５Ａが係止するようになっている。ラッチ１５の戸先側端面と扉体１の戸先側端面１００との間に位置して付勢手段としてのコイルスプリング１７が設けてあり、コイルスプリング１７がラッチ１５を戸尻側に押圧することで、通常時には、ラッチ１５は第１の位置を維持しており、ロック手段は係止状態にある。
【００４１】
扉体１の戸先側縦框１０の上側部位には、作動部１８が、ラッチ１５と離間対向して戸先側に位置する第１の位置と戸尻側に位置する第２の位置との間で水平方向に移動可能に設けてある。ラッチ１５及び作動部１８のそれぞれの対向する面には、それぞれラック１５０、１８０が水平方向（ラッチ１５及び作動部１８の移動方向）に亘って形成されており、ラッチ１５と作動部１８との間にはそれぞれのラック１５０、１８０に噛合するピニオン１９が設けてある。
【００４２】
作動部１８の第１の位置、第２の位置は、それぞれ、ラッチ１５の第１の位置、第２の位置に対応しており、したがって、第１の位置ではロック手段は係止状態にあり、第２の位置でロック手段は解除状態となる。第１の位置にある作動部１８が戸尻側に移動すると、作動部１８のラック１８０に噛合したピニオン１９が時計回り方向に回転し、ピニオン１９の回転に連動して、ピニオン１９に噛合したラック１５０を介してラッチ１５が第１の位置から戸先側に移動して、ラッチ１５の戸尻側端部の係止部１５Ａがラッチ受け１６´から抜け出てロック手段は解除状態となる。
【００４３】
第１の位置において、作動部１８の戸先側は、扉体１の戸先側端面１００から水平状に突出する突出部位２０´となっている。通常時において、扉体１の全閉時には、突出部位２０´が押し込まれることで作動部１８が第２の位置となって、開き扉８のロック手段は解除状態となる。防災盤からの作動信号に基づく自動閉鎖装置の作動によって、扉体１が自閉移動すると、扉体１が全閉状態に接近した時に、突出部位２０´が戸先側縦枠２に当接し、扉体１の自閉移動に伴って、突出部位２０´が押し込まれることで作動部１８が戸尻側に移動して第２の位置へと作動し、これに伴ってラッチ１５が第１の位置から第２の位置へ移動して係止状態が解除される。
【００４４】
作動部１８の突出部位２０´は、扉体１の戸先側端面１００の上側部位（手を伸ばさないと届かない）から突出しているので、扉体１の通常の開閉操作時に、誤って突出部位２０´が押し込まれてしまうような可能性は低い。また、開き扉８にドアクローザ機能を備えたオートヒンジを採用しておけば、ロック手段が解除されても、開き扉８の閉鎖姿勢は保持されており、開き扉８が開かれるためには、突出部位２０´の押し込み動作と、図示しない取手（取手は操作し易い位置に設けられ、突出部位２０´から離間している）の操作の２アクションが必要となり、開き扉８が誤って開放される可能性は低い。
【００４５】
［第４実施形態］
第４実施形態について図５に基づいて説明する。同一の構成要素については、既述の実施形態に係る図面（図２乃至図４）と図５との間で共通の参照番号を付与する。第４実施形態は、第２実施形態に対して、ロック手段、作動手段、伝動手段が設けられる部位が変わった態様であり、ロック手段、作動手段、伝動手段の構成要素は基本的に同じである。
【００４６】
扉体１の上框１２の戸先側部位には、ロック手段としてのラッチ１５´が設けてあり、ラッチ１５´は、開き扉８の上框８２の戸先側部位に形成した凹状のラッチ受け１６に対して係脱可能となっている。ラッチ１５´は、第１の姿勢と第２の姿勢の間で回転可能となっており、ロック手段は、ラッチ１５´が第１の姿勢にある時に係止状態にあり、ラッチ１５´が第２の姿勢にある時に解除状態にある。通常時には、図示しない付勢手段（スプリング）によって、ラッチ１５´の第１の姿勢が保持されている。
【００４７】
扉体１の上框１２の戸先側部位には、作動部１８´が、戸先側の第１の位置と戸尻側の第２の位置との間で水平方向に移動可能に設けてある。作動部１８´の第１の位置、第２の位置は、それぞれ、ラッチ１５´の第１の姿勢、第２の姿勢に対応しており、したがって、第１の位置ではロック手段は係止状態にあり、第２の位置でロック手段は解除状態となる。
【００４８】
第１の位置において、作動部１８´の戸先側は、扉体１の戸先側端面１００から水平状に突出する突出部位２０´となっている。通常時において、扉体１の全閉時には、突出部位２０´が押し込まれることで作動部１８´が第２の位置となって、開き扉８のロック手段は解除状態となる。防災盤からの作動信号に基づく自動閉鎖装置の作動によって、扉体１が自閉移動すると、扉体１が全閉状態に接近した時に、突出部位２０´が戸先側縦枠２に当接し、扉体１の自閉移動に伴って、突出部位２０´が押し込まれることで作動部１８´が戸尻側に移動して第２の位置へと作動し、これに伴ってラッチ１５´が第１の位置から第２の位置へ移動して係止状態が解除される。
【００４９】
図６に示すように、上枠４の内部空間にはモータ２３が設けてあり、モータ２３の駆動により、駆動側スプロケット２４、従動側スプロケット２５間に巻き掛けしたチェーン２６を左右方向に移動させる。チェーン２６は扉体１の戸尻側のハンガーローラユニット７に連結されており、チェーン２６の移動によって扉体１が左右方向に移動する。さらに、上枠４内には火災時に防災盤からの作動信号によって作動する自動閉鎖装置が設けてある。自動閉鎖装置は、上枠４の戸先側に設けた非常時強制閉鎖駆動装置２７と、非常時強制閉鎖駆動装置２７から戸尻側に向かって水平状に引き出されたガイドワイヤ２８と、ガイドワイヤ２８の戸先側端部を保持する非常時閉鎖装置２９と、ガイドワイヤ２８と扉体１とを連結するブロック３０と、を備えている。非常時強制閉鎖駆動装置２７は、ガイドワイヤ２８を戸先側（閉鎖方向）に引っ張った状態で、戸尻側先端が非常時閉鎖装置２９により保持（例えばソレノイドによって）されており、作動信号によって非常時閉鎖装置２９の保持が解除されると、ガイドワイヤ２８が戸先側（閉鎖方向）に移動してブロック３０に係止し、ブロック３０に係止した状態で戸先側に移動することで扉体１が自閉移動する。このような自動閉鎖装置は公知であって、例えば、類似の構成が特開２００６−３２８６３６号に開示されている。
【産業上の利用可能性】
【００５０】
本発明は、自動防火引戸装置に用いることができる。
【符号の説明】
【００５１】
１  扉体
８  開き扉
１５、１５´  ラッチ
１５０  ラック
１６、１６´ラッチ受け
１７  コイルスプリング
１８  作動部
１８０  ラック
１９  ピニオン
１９´  伝動手段
２０  突出部位
【図１】
2010216204.tif 000003
【図２】
2010216204.tif 000004
【図３】
2010216204.tif 000005
【図４】
2010216204.tif 000006
【図５】
2010216204.tif 000007
【図６】
2010216204.tif 000008